(57)【要約】【課題】親水性塗料を用いた塗膜の製造時に製造環境湿度が上昇すると親水性を発現しないことがあり親水性塗料として問題があった。【解決手段】  分子内に少なくとも一つのアニオン性親水性基と少なくとも一つのメタクリロイル基とを有する化合物（ａ）と、分子内にエチレン性不飽和基を二つ以上有する化合物（ｂ）と、分子内に一つのエチレン性不飽和基と親水性基とを有し、前記化合物（ａ）よりも分子量が小さい揮発性の化合物（ｃ）と、を含有しており、前記化合物（ａ）、前記化合物（ｂ）及び前記化合物（ｃ）の物質量の総和に対する化合物（ｃ）の物質量の比が０．１１より大きく０．９９未満であることを特徴とする親水性塗料組成物。【選択図】  図１
2015212324.tif 000002
【特許請求の範囲】
【請求項１】
分子内に少なくとも一つのアニオン性親水性基と少なくとも一つのメタクリロイル基とを有する化合物（ａ）と、分子内にエチレン性不飽和基を二つ以上有する化合物（ｂ）と、前記化合物（ａ）よりも分子量が小さく分子内に一つのエチレン性不飽和基と親水性基とを有する揮発性の化合物（ｃ）と、を含有しており、
前記化合物（ａ）、前記化合物（ｂ）及び前記化合物（ｃ）の物質量の総和に対する化合物（ｃ）の物質量の比が０．１１より大きく０．９９未満である
ことを特徴とする親水性塗料組成物。
【請求項２】
前記化合物（ｂ）及び前記化合物（ｃ）が有するエチレン性不飽和基は、ビニル基、アクリロイル基、メタクリロイル基のいずれかである
ことを特徴とする請求項１に記載の親水性塗料組成物。
【請求項３】
前記化合物（ａ）は、以下の化学式１で表されることを特徴とする請求項１又は２に記載の親水性塗料組成物。
【化１】
2015212324.tif 000015
（式中Ａはアニオン性親水性基であり−ＣＯＯ−、−ＰＯ４２−、−ＨＰＯ４−、−ＳＯ３−のいずれかを表す。Ｒは炭素数２〜２０の脂肪族炭化水素基を表し、なお且つフェニレン基、脂肪族環状基、エーテル基、ウレタン結合、ウレア結合、アミノ基、またはエステル基のいずれかを含んでいても良い。Ｍは水素イオン、アンモニウムイオン、アルカリ金属イオン、アルカリ土類金属イオンのいずれかを表す。）
【請求項４】
前記化合物（ａ）のアニオン性親水性基はスルホン酸またはその塩であることを特徴とする請求項１〜３のいずれかひとつに記載の親水性塗料組成物。
【請求項５】
前記化合物（ｃ）は、以下の化学式２または化学式３で表されることを特徴とする請求項１から４のいずれかひとつに記載の親水性塗料組成物。
【化２】
2015212324.tif 000016
【化３】
2015212324.tif 000017
（式中Ａ’は、水酸基、モルホリノ基、フルフリル基、アミド基のいずれかの親水性基を表す。ＢはＨ、ＣＨ３のいずれかを表す。Ｒ’は炭素数１〜５の脂肪族炭化水素であり、フェニレン基、エステル基、ウレタン結合、ウレア結合、アミノ基、エーテル基のいずれかを含んでいても良い。）
【請求項６】
前記化合物（ｂ）は水酸基、カルボキシル基又はエチレンオキサイド鎖を含まないことを特徴とする請求項１から５のいずれかひとつに記載の親水性塗料組成物。
【請求項７】
前記化合物（ｂ）は、水酸基を含まないことを特徴とする請求項１から６のいずれかひとつに記載の親水性塗料組成物。
【請求項８】
前記化合物（ｂ）のエチレン性不飽和基の官能基当量（ｇ／ｅｑ）が、２００ｇ／ｅｑ以下であることを特徴とする請求項１から７のいずれかひとつに記載の親水性塗料組成物。
【請求項９】
請求項１から８のいずれかひとつに記載の親水性塗料組成物を用いてなる親水性塗膜。
【請求項１０】
表材の表面に請求項９に記載の親水性塗膜が形成された水まわり物品。
【請求項１１】
請求項１から８のいずれか１項に記載の親水性塗料組成物を基材に塗布する塗布工程と、
前記化合物（ｃ）の少なくとも一部を揮発させる加熱乾燥工程と、
前記化合物（ａ）、前記化合物（ｂ）及び残存した化合物（ｃ）を活性エネルギー線又は熱を与えることにより共重合させる硬化工程からなることを特徴とする親水性塗膜の製造方法。
【発明の詳細な説明】
【技術分野】
【０００１】
本発明は、防曇性、防汚性に優れた親水性塗料組成物、親水性塗膜、水まわり物品及び親水性塗膜の形成方法に関する発明である。 
【背景技術】
【０００２】
従来のアニオン性親水性基を含んだ親水性塗料組成物として、２−スルホニルエチルアクリレートＮａと、二官能以上のアクリレート化合物を共重合させたものがある（例えば、特許文献１参照）。特許文献１によれば、親水性のスルホン酸またはスルホン酸塩基を有したアクリレート化合物と二官能以上のアクリレート化合物を含んだ塗料を塗膜表面のスルホ基（Ｓａ）と塗膜中央部のスルホ基（Ｄａ）の比がＳａ／Ｄａ≧１．１となるように形成することで耐擦傷性を有しながら親水性、防汚性、防曇性、帯電防止性を付与している。
【先行技術文献】
【特許文献】
【０００３】
【特許文献１】ＷＯ２００７／０６４００３号公報
【発明の概要】
【発明が解決しようとする課題】
【０００４】
しかしながら、アニオン性親水性基を含んだ親水性塗料組成物を用いて塗膜を形成する際、製造環境の湿度が上昇してしまうことで、塗膜として親水性を発現しづらくなるという問題があった。
【０００５】
本発明は、上記課題に鑑みてなされたものであり、高湿度環境においても安定に親水性が発現することが可能な塗膜を形成することができる親水性塗料組成物、この親水性塗料組成物を含む親水性塗膜、この塗膜が形成された水まわり物品及び塗膜の形成方法を提供することを目的とする。
【課題を解決するための手段】
【０００６】
上記目的を達成するために本発明は、分子内に少なくとも一つのアニオン性親水性基と少なくとも一つのメタクリロイル基とを有する化合物（ａ）と、分子内にエチレン性不飽和基を二つ以上有する化合物（ｂ）と、前記化合物（ａ）よりも分子量が小さく分子内に一つのエチレン性不飽和基と親水性基とを有する揮発性の化合物（ｃ）と、を含有しており、化合物（ａ）、化合物（ｂ）及び化合物（ｃ）の物質量の総和に対する化合物（ｃ）の物質量の比が０．１１より大きく０．９９未満の範囲であることを特徴とする。
【０００７】
本発明によれば、湿度が高い現場においても、塗膜の表層に化合物（ａ）を偏析させることが可能となり、この化合物（ａ）のアニオン性親水性基が塗膜表面に存在することにより親水性を示す塗膜を形成することが可能となる。この理由としては以下のように考えているが、本発明はこれに何ら限定されるものではない。親水性塗料組成物を基材に塗布し乾燥させると、塗膜の表層には主に化合物（ａ）と化合物（ｃ）が存在すると考えられる。この際、湿度が高い環境においては、環境中に存在する水が塗膜中の親水性成分と水和することが考えられるが、化合物（ａ）よりも化合物（ｃ）の方が水との親和性が高く水和しやすい。このため、水と化合物（ａ）との間での水和を抑えることができ、塗膜の白濁を防ぐことができる。また、塗膜を硬化させると塗膜表層に含まれていた化合物（ｃ）は揮発するため、塗膜の表層には化合物（ａ）が偏析していると考えられる。これにより親水性を示す塗膜を形成することができると考えられる。
【０００８】
また、本発明では、化合物（ｂ）及び化合物（ｃ）が有するエチレン性不飽和基は、ビニル基、アクリロイル基、メタクリロイル基のいずれかであることが好ましい。
【０００９】
また、本発明では、化合物（ａ）は、以下の化学式１であることが好ましい。
【化１】
2015212324.tif 000003
（式中Ａはアニオン性親水性基であり−ＣＯＯ−、−ＰＯ４２−、−ＨＰＯ４−、−ＳＯ３−のいずれかを表す。Ｒは炭素数２〜２０の脂肪族炭化水素基を表し、なお且つフェニレン基、脂肪族環状基、エーテル基、ウレタン結合、ウレア結合、アミノ基、またはエステル基のいずれかを含んでいても良い。Ｍは水素イオン、アンモニウムイオン、アルカリ金属イオン、アルカリ土類金属イオンのいずれかを表す。）
【００１０】
本発明によれば、アニオン性親水性基を−ＣＯＯ−、−ＰＯ４２−、−ＨＰＯ４−、−ＳＯ３−のいずれかとするので、水道水中のシリカやＮａ、Ｋなど水垢を構成する成分が塗膜の表面に強固に固着しないので、これらの成分が付着しても容易に取り除くことができ親水性を長期に維持することができる。
【００１１】
また、本発明では、化合物（ａ）のアニオン性親水性基は−ＳＯ３−またはその塩であることが好ましい。
【００１２】
本発明によれば、アニオン性親水性基の中でもスルホン酸基またはその塩は酸解離定数が高く、多価の金属イオンと塩を形成しにくいので、水道水に含まれるＣａ、Ｍｇ等の多価金属イオンを含んだ水道水に曝露されても水垢をさらに形成しにくくすることができる。
【００１３】
また、本発明では、化合物（ｃ）は、以下の化学式２又は化学式３であることが好ましい。
【化２】
2015212324.tif 000004
【化３】
2015212324.tif 000005
（式中Ａ’は、水酸基、モルホリノ基、フルフリル基、アミド基のいずれかの親水性基を表す。ＢはＨ、ＣＨ３のいずれかを表す。Ｒ’は炭素数１〜５の脂肪族炭化水素であり、フェニレン基、エステル基、ウレタン結合、ウレア結合、アミノ基、エーテル基のいずれかを含んでいても良い。）
【００１４】
本発明によれば、化合物（ｃ）の構造を上記のようにすることで、化合物（ａ）と十分に相溶することができる。よって、塗膜を加熱乾燥させる際、化合物（ａ）とともに塗膜の表層に偏析し、化合物（ａ）を塗膜表面に均一に分布させることができる。また、塗膜中に残存した化合物（ｃ）は、塗膜を硬化させる際化合物（ａ）及び化合物（ｂ）と容易に重合することができるので、塗膜中に未反応の化合物（ｃ）が残存することはなく、塗膜から化合物（ｃ）の溶出等による親水性が低下することを防ぐことができる。
【００１５】
また、本発明では、化合物（ｂ）は、水酸基、カルボキシル基又はエチレンオキサイド鎖を含まないことが好ましい。
【００１６】
また、本発明では、化合物（ｂ）は、水酸基を含まないことが好ましい。
【００１７】
本発明によれば、化合物（ｂ）が水酸基を備えていないので、化合物（ａ）と化合物（ｂ）の相溶性を低くすることができる。これにより、親水性塗布組成物を乾燥する際、溶媒や化合物（ｃ）が揮発させながら化合物（ａ）を塗膜の表面に偏析させることができる。このことにより、塗膜の基材側に含まれる化合物（ａ）の濃度を低く抑えることができ、塗膜の耐水性を向上させることが可能となる。
【００１８】
また、本発明では、化合物（ｂ）のエチレン性不飽和基の官能基当量（ｇ／ｅｑ）が、２００以下であることが好ましい。
【００１９】
化合物（ｂ）のエチレン性不飽和基の官能基当量を２００ｇ／ｅｑ以下とすることで、化合物（ａ）と塗膜中に残存する化合物（ｃ）の分子量が小さい化合物や官能基数の少ない化合物を用いても、形成する塗膜を強固にすることができるので耐久性の高い塗膜とすることができる。
【００２０】
また、本発明では、親水性塗料組成物を用いてなる親水性塗膜を形成することができる。
【００２１】
本発明によれば、湿度が高い現場においても、塗膜の表層に化合物（ａ）を偏析させることが可能となり、この化合物（ａ）のアニオン性親水性基が塗膜表面に存在することにより親水性を示す塗膜を形成することが可能となる。
【００２２】
また、本発明の親水性塗膜は、水まわり物品の表面に好適に使用することができる。ここで、水まわり物品とはトイレや浴室、キッチン、洗面化粧台等に使われる部材を指し、例えば浴室壁材、浴室床材、浴室窓材、浴室扉材、シャワーブース壁材、洗面鏡、洗面化粧台及びボウル、浴槽やキッチンカウンター及びキッチンシンク等の人工大理石、レンジフード材、便器、便座、温水洗浄便座及びその洗浄ノズル、排水口、水栓金具等のいずれかが挙げられるが特にこれらに限定されない。
【００２３】
水まわり物品は、定期的に水や油汚れ、屎尿に曝露されるため、アニオン性親水性基を有した本発明の親水性塗料組成物を塗布することで、汚れや水垢の固着を防ぎ、鏡においては曇りの発生を抑制することができる。
【００２４】
また、本発明に係る親水性塗膜の製造方法は、親水性塗料組成物を基材に塗布する塗布工程と、化合物（ｃ）の少なくとも一部を揮発させる加熱乾燥工程と、化合物（ａ）、化合物（ｂ）及び残存した化合物（ｃ）を活性エネルギー線又は熱を与えることにより共重合させる硬化工程からなることとすることができる。
【発明の効果】
【００２５】
本発明によれば、製造時の湿度が高い環境でも、安定して親水性を示す塗膜を形成することができる。また、防汚性や防曇性に優れた塗膜とすることができる。
【図面の簡単な説明】
【００２６】
【図１】本発明の実施例２、６及び比較例１、７の製造環境湿度ごとの塗膜の水接触角の値の変化を示した図である。
【図２】本発明の実施例１〜１０及び比較例１〜８の化合物（ａ）の種類と化合物（ｃ）のモル比を変化させて、製造環境湿度(４０％及び８０％)ごとに作成した塗膜の水接触角の値の図である。
【図３】水はけ試験の実施及び評価方法を示した図である。
【発明を実施するための形態】
【００２７】
以下に本発明を実施するための形態を詳細に説明する。
【００２８】
（親水性塗料組成物）
本発明の親水性塗料組成物は、次に示す化合物（ａ）、化合物（ｂ）及び化合物（ｃ）の混合物である。
【００２９】
（化合物（ａ））
本発明の化合物（ａ）は、分子内にアニオン性親水性基と少なくとも一つのメタクリロイル基とを有する化合物である。
【００３０】
化合物（ａ）としては、前述の化学式１で表される。式中Ａはアニオン性親水性基であり、−ＣＯＯ−、−ＰＯ４２−、−ＨＰＯ４−、−ＳＯ３−のいずれかを表す。Ｒは炭素数２〜２０の脂肪族炭化水素基を表し、なお且つフェニレン基、脂肪族環状基、エーテル基、ウレタン結合、ウレア結合、アミノ基、またはエステル基を含んでいても良い。Ｍは水素イオン、アンモニウムイオン、アルカリ金属イオン、アルカリ土類金属イオンのいずれかを表す。Ｍは、１価のアルカリ金属が好ましく、ナトリウム、カリウム塩が特に好ましい。
【００３１】
化合物（ａ）の分子量は化合物（ｃ）の分子量よりも大きければ、親水性を阻害しない範囲で適宜使用することができる。化合物（ａ）の分子量は、好ましくは２００〜１０００である。また、化合物（ａ）の分子量が小さいほど加熱乾燥過程で化合物（ａ）を塗膜表層に偏析させやすく、化合物（ａ）のモル比を少なくしても十分な親水性を有した塗膜とすることができる。この場合の化合物（ａ）の分子量は２００〜５００が好ましい。
【００３２】
化合物（ａ）として、メタクリロイルオキシ基を有した直鎖アルキルスルホン酸及びその塩である２−（メタクリロイルオキシ）エタンスルホン酸、３−（メタクリロイルオキシ）プロパン−１−スルホン酸、２−（メタクリロイルオキシ）エタンスルホン酸ナトリウム塩、メタクリル酸３−スルホプロピルカリウムを用いることが好ましい。これにより、化合物（ｂ）、化合物（ｃ）と十分な反応性を有し耐久性の高い塗膜とすることができる。
【００３３】
（化合物（ｂ））
本発明の化合物（ｂ）は、分子内にエチレン性不飽和基を少なくとも二つ以上有する化合物である。
【００３４】
化合物（ｂ）のエチレン性不飽和基としてはアクリロイル基、メタクリロイル基、ビニル基が好ましい。
【００３５】
化合物（ｂ）の分子量は、２００〜５０００が好ましい。また、化合物（ｂ）は複数種類を混合して用いても良い。
【００３６】
化合物（ｂ）として好ましい化合物としては、（メタ）アクリレートモノマー（オリゴマー）や、そのウレタン変性物であるウレタン（メタ）アクリレートモノマー（オリゴマー）、エポキシ変性物であるエポキシ（メタ）アクリレートモノマー（オリゴマー）が挙げられる。
【００３７】
（メタ）アクリレートモノマー（オリゴマー）としては、例えば、２−ヒドロキシー３−アクリロイロキシプロピルメタクリレート、プロポキシ化エトキシ化ビスフェノールＡジアクリレート、エトキシ化ビスフェノールＡジアクリレート、９、９−ビス［４−（２−アクリロイルオキシエトキシ）フェニル］フルオレン、プロポキシ化ビスフェノールＡジアクリレート、トリシクロデカンジメタノールジアクリレート、１、１０−デカンジオールジアクリレート、１、６−ヘキサンジオールジアクリレート、１、９−ノナンジオールジアクリレート、ジプロピレングリコールジアクリレート、トリプロピレングリコールジアクリレート、エトキシ化イソシアヌル酸トリアクリレート、ε−カプロラクトン変性トリスー（２−アクリロキシエチル）イソシアヌレート、ペンタエリスリトールトリアクリレート、トリメチロールプロパントリアククリレート、ジトリメチロールプロパントリメタクリレート、エトキシ化グリセリントリアクリレート、エトキシ化ペンタエリスリトールテトラアクリレート、ジトリメチロールプロパンテトラアクリレート、ペンタエリスリトールテトラアクリレート、ジペンタエリスリトールヘキサアクリレート、エチレングリコールジメタクリレート、ジエチレングリコールジメタクリレート、トリエチレングリコールジメタクリレート、２、２ビス［４−（メタクリロキシエトキシ）フェニル］プロパン、トリシクロデカンジメタノールジメタクリレート、１、１０−デカンジオールジメタクリレート、１、６−ヘキサンジオールメタクリレート、１、９−ノナンジオールメタクリレート、ネオペンチルグリコールメタクリレート、グリセリンジメタクリレート、トリメチロールプロパントリメタクリレート、ポリエチレングリコールジアクリレート、ポリエチレングリコールジメタクリレート、ポリプロピレングリコールジアクリレート、ポリテトラメチレングリコールジアクリレート、グリセリントリアクリレートエトキシレート、ジペンタエリスリトールポリアクリレート、エトキシ化ポリプロピレングリコールジメタクリレート、ポリプロピレンジメタクリレート、等が挙げられる。
【００３８】
また、エチレン性不飽和基を二つ以上有するウレタン（メタ）アクリレートオリゴマー（ポリマー）としては、例えば、フェニルグリシジルエーテルアクリレートヘキサメチレンジイソシアネートウレタンプレポリマー、フェニルグリシジルエーテルアクリレートトルエンジイソシアネートウレタンプレポリマー、ペンタエリスリトールトリアクリレートヘキサメチレンジイソシアネートウレタンプレポリマー、ペンタエリスリトールトリアクリレートトルエンジイソシアネートウレタンプレポリマー、ペンタエリスリトールトリアクリレートイソホロンジイソシアネートウレタンプレポリマー、ジペンタエリスリトールペンタアクリレートヘキサメチレンジイソシアネートウレタンプレポリマー、オリゴウレタンアクリレート、カルボン酸含有ウレタンアクリレートオリゴマーなどが挙げられる。
【００３９】
また、エチレン性不飽和基を二つ以上有するエポキシ（メタ）アクリレートオリゴマー（ポリマー）としては、例えば、クレゾールノボラック型エポキシアクリレート、カルボン酸無水物変性エポキシアクリレートなどが挙げられる。
【００４０】
この中で、特に水酸基、カルボキシル基、エチレンオキサイド鎖の親水性官能基を有さないものは化合物（ａ）との相溶性が低く化合物（ａ）を表面に偏析させる上で有効なため特に好ましい。このような化合物（ｂ）としてはプロポキシ化エトキシ化ビスフェノールＡジアクリレート、エトキシ化ビスフェノールＡジアクリレート、９、９−ビス［４−（２−アクリロイルオキシエトキシ）フェニル］フルオレン、プロポキシ化ビスフェノールＡジアクリレート、トリシクロデカンジメタノールジアクリレート、１、１０−デカンジオールジアクリレート、１、６−ヘキサンジオールジアクリレート、１、９−ノナンジオールジアクリレート、ジプロピレングリコールジアクリレート、トリプロピレングリコールジアクリレート、エトキシ化イソシアヌル酸トリアクリレート、ε−カプロラクトン変性トリスー（２−アクリロキシエチル）イソシアヌレート、トリメチロールプロパントリアククリレート、ジトリメチロールプロパントリメタクリレート、エトキシ化ペンタエリスリトールテトラアクリレート、ペンタエリスリトールテトラアクリレート、ジペンタエリスリトールヘキサアクリレート、エチレングリコールジメタクリレート、ジエチレングリコールジメタクリレート、トリエチレングリコールジメタクリレート、２、２ビス［４−（メタクリロキシエトキシ）フェニル］プロパン、トリシクロデカンジメタノールジメタクリレート、１、１０−デカンジオールジメタクリレート、１、６−ヘキサンジオールメタクリレート、１、９−ノナンジオールメタクリレート、ネオペンチルグリコールメタクリレート、グリセリンジメタクリレート、トリメチロールプロパントリメタクリレート、ポリエチレングリコールジアクリレート、ポリエチレングリコールジメタクリレート、ポリプロピレングリコールジアクリレート、ポリテトラメチレングリコールジアクリレート、グリセリントリアクリレートエトキシレート、エトキシ化ポリプロピレングリコールジメタクリレート、ポリプロピレンジメタクリレート、フェニルグリシジルエーテルアクリレートトルエンジイソシアネートウレタンプレポリマー、ペンタエリスリトールトリアクリレートヘキサメチレンジイソシアネートウレタンプレポリマー、ペンタエリスリトールトリアクリレートトルエンジイソシアネートウレタンプレポリマー、ペンタエリスリトールトリアクリレートイソホロンジイソシアネートウレタンプレポリマー、ジペンタエリスリトールペンタアクリレートヘキサメチレンジイソシアネートウレタンプレポリマーが挙げられる。
【００４１】
化合物（ｂ）は（メタ）アクリル等のエチレン性不飽和基の官能基当量が２００ｇ／ｅｑ以下であることが好ましい。これにより耐久性の高い塗膜とすることができる。また、より耐久性の高い塗膜とするためには、好ましくは１５０ｇ／ｅｑ以下であり、更に好ましくは、２７ｇ／ｅｑ以上１５０ｇ／ｅｑ以下である。ここで官能基当量とは、官能基１個あたりの化合物の分子量をあらわす。本発明では、化合物（ｂ）の分子量をエチレン性不飽和基の数で割った値である。例えば、化合物（ｂ）として、（メタ）アクリレートモノマー（オリゴマー）や、そのウレタン変性物であるウレタン（メタ）アクリレートモノマー（オリゴマー）、エポキシ変性物であるエポキシ（メタ）アクリレートモノマー（オリゴマー）の分子量をエチレン性不飽和基である（メタ）アクリロイル基の数で割った値である。このような官能基当量を満たす化合物としては、ペンタエリスリトールテトラアクリレート（８８ｇ／ｅｑ）ジペンタエリスリトールテトラアクリレート（１０５ｇ／ｅｑ）、ジペンタエリスリトールヘキサアクリレート（９６ｇ／ｅｑ）、トリメチロールプロパントリアクリレート（９９ｇ／ｅｑ）、トリメチロールプロパンテトラアクリレート（１１７ｇ／ｅｑ）、１、３、５−トリス（２、２−ジアクリロイルオキシメチル−３−（２、２、２−トリアクリロイルオキシメチルエトキシ）プロピルヘキシルカルバメート）イソシアヌレート（１５３ｇ／ｅｑ）（新中村化学Ｕ１５ＨＡ）、エトキシ化ジペンタエリスリトールヘキサアクリレート（１８５ｇ／ｅｑ）などが挙げられる。
【００４２】
この中でも、塗膜の耐久性を高めるために一分子中の官能基数が６個以上のものが特に好ましく、ジペンタエリスリトールヘキサアクリレート（６官能）、エトキシ化ジペンタエリスリトールヘキサアクリレート（６官能）、１、３、５−トリス（２、２−ジアクリロイルオキシメチル−３−（２、２、２−トリアクリロイルオキシメチルエトキシ）プロピルヘキシルカルバメート）イソシアヌレート（１５官能）がある。
【００４３】
（化合物（ｃ））
本発明の化合物（ｃ）は、化合物（ａ）よりも分子量が小さく分子内に一つのエチレン性不飽和基と親水性基を有する揮発性の化合物である。ここで、揮発性の化合物とは、沸点が２８０℃以下、より好ましくは２６０℃以下の化合物である。
【００４４】
化合物（ｃ）としては、前述の化学式２又は化学式３で表される揮発性の化合物である。式中Ａ’は、水酸基、モルホリノ基、フルフリル基、アミド基のいずれかの親水性基を表す。ＢはＨ、ＣＨ３のいずれかを表す。Ｒ’は炭素数１〜５の脂肪族炭化水素であり、フェニレン基、エステル基、ウレタン結合、ウレア結合、アミノ基、エーテル基のいずれかを含んでいても良い。
【００４５】
化合物（ｃ）として、ヒドロキシエチル（メタ）アクリレート、ヒドロキシプロピル（メタ）アクリレート及びその構造異性体、ヒドロキシブチル（メタ）アクリレート及びその構造異性体、テトラヒドロフルフリル（メタ）アクリレート、（メタ）アクリロイルモルホリン、Ｎ―ビニルホルムアミド等を用いることが好ましい。
【００４６】
化合物（ｃ）として、化合物（ａ）との相溶性の観点からヒドロキシエチル（メタ）アクリレートを用いることが好ましい。
【００４７】
化合物（ｃ）の分子量は化合物（ａ）より小さければ特に限定されないが、５００以下が好ましい。また、重合した際の強度を低下させずに揮発性を両立させるためには分子量が１００〜２００の範囲が好ましい。
【００４８】
化合物（ｃ）は、分子量５００以下の低分子量であるため、加熱乾燥する際、揮発させることができる。親水性塗料組成物を基材に塗布した後、溶媒成分とともに化合物（ｃ）を揮発させていくと、化合物（ｃ）を含むことで相溶化していた化合物（ａ）と化合物（ｂ）の相分離が起こると考えられる。
【００４９】
化合物（ｃ）は、化合物（ａ）と化合物（ｂ）および化合物（ｃ）の物質量の総和に対する化合物（ｃ）の物質量の比（モル比）が、０．１１より大きく０．９９未満の範囲である。化合物（ｃ）の物質量の比が０．１１より大きいと耐湿効果を十分とすることができ、また、０．９９未満であると、化合物（ａ）と化合物（ｃ）との相溶性が増し、化合物（ａ）が塗膜表面に偏析することで十分な親水性を得ることができる。上述の化合物（ｃ）の物質量比は０．１１より大きく０．６５以下であることが好ましく、より好ましくは０．１１より大きく０．５以下である。これにより、親水性塗料組成物に含まれる化合物（ｂ）の物質量の割合が高くなり、塗膜の架橋密度が上がることによって、塗膜の強度が増すと考えられる。また、上述の化合物（ｃ）の物質量の比は０．２０以上で０．５以下の範囲であるとさらに好ましい。これにより、親水性塗料組成物中の化合物（ａ）に対し化合物（ｃ）の存在比が大きくなり、水と化合物（ａ）との間での水和を抑えることができ、高湿度環境下での親水性のバラつきを抑制することができるためである。
【００５０】
（溶媒）
本発明の親水性塗料組成物は、基材への濡れ性向上や塗料の粘度を調整するために溶媒を使用することができる。溶媒としては化合物（ａ）、化合物（ｂ）、化合物（ｃ）との相溶性の観点から、例えば、メタノール、エタノール、ＩＰＡ（イソプロパノール）、ｎ―ブタノール等のアルコール類、メトキシエタノール、メトキシプロパノール等のセロソルブ類、アセトン等のケトン類、ＤＭＦ（Ｎ,Ｎ’−ジメチルホルムアミド）や水が挙げられるが特にこれに限定されない。また、溶媒は必要に応じて複数種類を混合して用いても良い。
【００５１】
（重合開始剤）
本発明の親水性塗料組成物を重合させる際には、公知のラジカル重合開始剤、硬化触媒、重合促進剤等が親水性を阻害しない範囲で任意に加えられる。
【００５２】
本発明の親水性塗料組成物を放射線、例えば紫外線により共重合させる場合には公知の光重合開始剤が使用される。
【００５３】
好ましい光重合開始剤としては、例えばＢＡＳＦ社が提供するイルガキュアー６５１、イルガキュアー１８４、イルガキュアー５００、イルガキュアー２９５９、イルガキュアー１２７、イルガキュアー９０７、イルガキュアー３６９、イルガキュアー１３００、イルガキュアー８１９、イルガキュアー１８００、イルガキュアーＯＸＥ０１、イルガキュアーＯＸＥ０２、ダロキュアー１１７３、ダロキュアーＴＰＯ、ダロキュアー４２６５等が挙げられる。
【００５４】
（任意成分）
その他任意成分として、紫外線吸収剤、光安定剤、酸化防止剤、レベリング剤、消泡剤、増粘剤、沈降防止剤や塗料の意匠性を制御する染料、顔料、艶消し剤などの各種添加剤を塗料の親水性を阻害しない範囲で添加することができる。
【００５５】
（基材）
本発明の親水性塗料組成物を塗布する基材は、湿潤環境下における物理的耐久性が備えられていれば特に限定されない。例えば、アクリル等の樹脂部材には広く適用可能である。また、特に、水まわりのような定期的に水に暴露される水まわり部材に使用でき、浴室壁材、浴室床材、浴室窓材、浴室扉材、シャワーブース壁材、洗面鏡、洗面台、浴槽やキッチンカウンター及びキッチンシンク等の人工大理石、レンジフード材、便器、便座、温水洗浄便座及びその洗浄ノズル、排水口、水栓金具等に広く使用可能である。基材との密着性に問題がある場合は、プライマー層を設けることや、コロナ処理など公知の基材前処理方法を用いることができる。
【００５６】
（親水性塗膜）
本発明の親水性塗膜は、親水性塗料組成物を用いてなる塗膜である。
【００５７】
（親水性塗膜の製造方法）
本発明の親水性塗料組成物から親水性塗膜を形成する工程は、本発明の親水性塗料組成物を基材に塗布する塗布工程と、化合物（ｃ）を揮発させる加熱乾燥工程と、活性エネルギー線又は熱を与えることにより、化合物（ａ）、化合物（ｂ）、残存した化合物（ｃ）を共重合させる硬化工程からなる。親水性塗料組成物には、重合開始剤を混合させることが好ましく、任意の希釈剤を混合させても良い。ここで各工程間には、基材をベルトコンベア等で移動させる移動工程や各工程に移るために生じる待機工程があってもよい。
【００５８】
（塗布工程）
本発明の親水性塗料組成物を基材に塗布する方法は、例えば、ハケ塗り、スプレーコート、ディップコート、スピンコート、カーテンコート、ロールコートなど公知のものを用いることができる。塗膜の厚さは、十分な親水性と耐磨耗性を有し、かつクラックを発生させず、基材との良好な密着性を発現させるために、０．１μｍ〜３００μｍの範囲、好ましくは１〜１００μｍの範囲、さらに好ましくは１〜２０μｍの範囲であることが好ましい。
【００５９】
（加熱乾燥工程）
加熱乾燥方法は、赤外線または熱風等により乾燥する公知の方法を用いることができる。加熱温度は、通常、室温〜２００℃の範囲、好ましくは３５℃〜１５０℃、さらに好ましくは４０℃〜１００℃の範囲が好ましい。乾燥時間は、任意に設定できるが、乾燥時間が短すぎると希釈剤等の溶剤や化合物（ｃ）の揮発が十分でなく親水性が十分に発現しない。また、化合物（ｃ）は９０ｗｔ％まで揮発させてもよい。これは、化合物（ｃ）を揮発させないと親水性の発現が不十分である一方で、化合物（ｃ）が９０ｗｔ％以上揮発した場合は、塗膜の透明性が低下してしまうためである。また、加熱時間が長すぎると基材が熱可塑性樹脂などの場合、基材の変形等が発生する。さらに、量産性も低下するため好ましい乾燥時間としては１０分以内、より好ましくは５分以内がよい。
【００６０】
（硬化工程）
基材に塗布された塗膜を硬化させる手段としては、熱硬化、活性エネルギー線硬化、またはその組み合わせ等エチレン性不飽和基を含んだ化合物を重合させる公知の方法を使用することができる。熱硬化により重合硬化を行なう場合は、重合開始剤が用いられる。加熱は乾燥工程と同様に赤外線または熱風等により加熱する公知の方法を用いることができる。なお、熱硬化の場合は、加熱乾燥工程と硬化工程とを一つの工程で同時に行うことができる。
【００６１】
また、活性エネルギー線硬化の場合、放射線としては、４００〜８００ｎｍの可視光、４００ｎｍ以下の紫外線及び電子線が挙げられるが、簡便、短時間に重合を行なうことができる紫外線硬化が好ましい。紫外線により硬化を行なう場合は、公知の光重合開始剤が用いられる。光重合開始剤は、親水性塗料組成物中に含有される重合性化合物の質量の０．０１〜２０ｗｔ％、好ましくは１〜１０ｗｔ％の範囲で添加される。紫外線発生源としては、低圧水銀ランプ、高圧水銀ランプ、超高圧水銀ランプ、キセノンランプ、ガリウムランプ、メタルハライドランプ、紫外線レーザー、太陽光等の紫外線が挙げられる。照射雰囲気は大気中でもよいし、窒素、アルゴン等の不活性ガスでもよい。
【００６２】
（環境湿度）
本発明の親水性塗料組成物は、塗布工程、移動工程や待機工程において、特に相対湿度が高い環境（例えば、ＲＨ８０％）でも十分な親水性を保ったまま塗膜を製造することができるので、大気中の雰囲気で塗膜を製造する場合においても環境湿度は特に調整される必要が無い。
【実施例】
【００６３】
以下に実施例を用いて本発明を詳細に説明するが、本発明が実施例のみに限定されるものではない。
【００６４】
（実施例１）
化学式１で表される化合物（ａ）として、メタクリル酸３−スルホプロピルカリウム（以後ＳＰＭＡ−Ｋと略す）０．０８ｇ（０．３２ｍｍｏｌ）を０．５ｇの水に溶解させた後、エチレン性不飽和基を２個以上有する化合物（ｂ）としてジペンタエリスリトールヘキサアクリレート（新中村化学社製ＮＫエステル。以後、Ａ−ＤＰＨと略す）７ｇ（１２ｍｍｏｌ）と、化合物（ｃ）としてヒドロキシメチルメタアクリレート（ＨＥＭＡ）を０．４ｇ（３．１ｍｍｏｌ）、光重合開始剤としてイルガキュアー５００（ＢＡＳＦ社製）０．１４ｇと、溶媒としてメトキシエタノール１５ｇを加えた溶液をスターラーで６０分攪拌することによって実施例１の親水性塗料組成物を調合した。
【００６５】
得られた親水性塗料組成物は、厚さ２ｍｍのアクリル板の表面にバーコーター＃２で塗布した。親水性塗料組成物を塗布したアクリル板は、製造環境湿度を調整するために恒温恒室槽（ＡｍｅＦｒｅｃ社製ＮＯ  ＤＯＯＲ  α）を用いて２７℃で相対湿度がＲＨ４０％及びＲＨ８０％の環境下でそれぞれ２分間静置した後、熱風乾燥炉（ＹＡＭＡＴＯ科学社製ＤＫＮ４０２）により温度７０℃、乾燥時間１０分の条件で化合物（ｃ）と溶媒を揮発させた。
【００６６】
熱風乾燥炉から取り出した後、積算光量１０００ｍＪ／ｃｍ２の紫外線を照射（パナソニック電工製ＡＮＵＰ４１５４）して、厚さが約５μｍの塗膜を形成させた。製膜した塗膜は後述する各評価試験を実施した。
【００６７】
（実施例２〜１０）
実施例２〜１０は、表１に示すような配合比とした以外は、実施例１と同様に塗膜を形成し、各評価試験を実施した。
【００６８】
（実施例１１）
実施例１１は、溶媒としてメタノールを用いた以外は実施例２と同様に塗膜を形成し、各評価試験を実施した。
【００６９】
（実施例１２）
実施例１２は、溶媒としてアセトンを用いた以外は実施例２と同様に塗膜を形成し、各評価試験を実施した。
【００７０】
（実施例１３）
実施例１３は、化合物（ｃ）をヒドロキシエチルアクリレート（以後、ＨＥＡと略す）とし、表１に示すような配合とした以外は、実施例１と同様に塗膜を形成し、各評価試験を実施した
【００７１】
（実施例１４）
実施例１４は、化合物（ｂ）をトリメチロールプロパントリアクリレート（以後、Ａ−ＴＭＰＴと略す）に変更し、表１に示すような配合とした以外は実施例１と同様に塗膜を形成し、各評価試験を実施した。
【００７２】
（実施例１５）
実施例１５は、化合物（ｂ）をエトキシ化ジペンタエリスリトールヘキサアクリレート（以後、Ａ−ＤＰＨ １２Ｅと略す）に変更し、表１に示すような配合とした以外は実施例１と同様に塗膜を形成し、各評価試験を実施した。
【００７３】
（実施例１６）
基材として、幅１．５ｍｍの凹部に１４ｍｍ×１４ｍｍ×１ｍｍの凸部とを有した軟質オレフィンシート１００ｍｍ×１００ｍｍ上に、熱硬化性アクリル系プライマーを塗布して、加熱重合した基材を用意した。次に、実施例２の親水性塗料組成物に、粒径中央値６〜７μｍのポリカーボネート粒子をトルエンに溶解させた艶調整剤を４ｇ加え、スターラーで攪拌させることにより艶消し意匠を付与した浴室床用塗料を調合した。この浴室用床用塗料をスプレーガン（明治機械製作所ＦｉｎｅｒＩＩ）で製膜後の膜厚が６〜７μｍ程度になるように浴室用床に塗布した後、実施例１と同様に、恒温恒室槽内で２７℃の気温でＲＨ４０％、ＲＨ８０％の各環境湿度条件で２分静置した後に、乾燥、紫外線照射を行って製膜した。
【００７４】
（実施例１７）
実施例６の親水性塗料組成物を用いたこと以外は実施例１６と同様に塗膜を形成し、各評価試験を実施した。
【００７５】
（比較例１〜４）
比較例１〜４は、表１に示すような配合とした以外は実施例１と同様に塗膜を形成し、各評価試験を実施した。
【００７６】
（比較例５〜７）
比較例５〜７は、化合物（ａ）をアクリル酸３−スルホプロピルカリウム（以後、ＳＰＡ−Ｋと略す）とし、表１に示すような配合とした以外は、実施例１と同様に塗膜を形成し、各評価試験を実施した。
【００７７】
（比較例８）
比較例８は、ＷＯ２００７／０６４００３号公報の実施例６７を、環境湿度ＲＨ８０％の条件のみで静置させた以外は実施例１と同様に塗膜を形成し、各評価試験を実施した。
【００７８】
（比較例９）
比較例９は、比較例１の塗料を用いたこと以外は、実施例１６と同様に塗膜を形成し、各評価試験を実施した。
【００７９】
（比較例１０）
比較例１０は、比較例５の塗料を用いたこと以外は、実施例１６と同様に塗膜を形成し、各評価試験を実施した。
【００８０】
（比較例１１）
比較例１１は、比較例７の塗料を用いたこと以外は、実施例１６と同様に塗膜を形成し、各評価試験を実施した。
【００８１】
実施例及び比較例で使用した化合物（ａ）、化合物（ｂ）及び化合物（ｃ）の各構造を化４〜化１０に示す。
【００８２】
【表１】
2015212324.tif 000006
【００８３】
【化４】
2015212324.tif 000007
（実施例１〜１５、比較例１〜４における化合物（ａ））
【００８４】
【化５】
2015212324.tif 000008
（比較例５〜８における化合物（ａ））
【００８５】
【化６】
2015212324.tif 000009
（実施例１〜１３、比較例１〜８における化合物（ｂ））
【００８６】
【化７】
2015212324.tif 000010
（実施例１４における化合物（ｂ））
【００８７】
【化８】
2015212324.tif 000011
（実施例１５における化合物（ｂ）
【００８８】
【化９】
2015212324.tif 000012
（実施例１〜１２、１４、１５、比較例１〜８における化合物（ｃ））
【００８９】
【化１０】
2015212324.tif 000013
（実施例１３における化合物（ｃ））
【００９０】
各評価試験を以下の方法で行った。
【００９１】
（水接触角の測定）
水に対する静的接触角は、ＦＡＣＥ接触角計ＣＡ−Ｘ１５０（協和界面科学製）を用いて、室温２μＬの水滴を滴下し２０秒後の静的接触角をθ／２法で測定した。測定は、製膜後に蒸留水で塗膜を水洗いし乾燥させた後に３点測定し平均値を記載した。
【００９２】
（防汚性（セルフクリーニング）試験）
オレイン酸にカーボンブラック（三菱化学社製ＭＡ１００）を１ｗｔ％となるように加えた疎水性の擬似汚物を作成し、この擬似汚物約２ｍｌを試験体の上に滴下後、水道水で洗い流した後に目視で汚染状態を以下の要領で判定した。
○：試験体表面に汚染物質の付着がほとんどなくなっていた場合
△：僅かに付着して残っていた場合
×：明らかに付着して残っていた場合
【００９３】
（防曇性試験）
防曇性試験は、超音波式加湿器の湯気に対し、製膜した表面を垂直にあて、５秒間外観を観察し、目視にて以下の要領で判定した。
○：曇りが発生しない
×：曇りが発生する
【００９４】
表１に実施例１〜１５、比較例１〜８の組成比及び評価試験結果を示す。また、図１に実施例２、実施例６、比較例１、比較例７の製造湿度ごとの水接触角の値の変化を示す。
【００９５】
図２に実施例１〜１０、比較例１〜８の製造湿度ＲＨ４０％及びＲＨ８０％における水接触角の値をプロットした結果を示す。
【００９６】
表１及び図１、２をみると、製造環境の相対湿度がＲＨ４０％時は化合物（ｃ）の物質量比が０．９９を超える比較例４以外は、いずれの塗膜も水接触角３０°以下の良好な親水性、及び防汚性、防曇性を示した。しかしながら、製造環境の相対湿度が増大しＲＨ８０％になると比較例１〜４に示す化合物（ｃ）の物質量比が０．１１以下及び０．９９を越える組成では親水性が低下し水接触角が３０°より大きく、防汚性、防曇性も低下した。
【００９７】
一方で、化合物（ｃ）の化合物（ａ）と化合物（ｂ）に対するモル比が０．１１より大きく０．９９未満の本発明の実施例では、製造環境の相対湿度がＲＨ８０％においても水接触角が３０°以下の良好な親水性を示し、防汚性、防曇性が良好であった。
【００９８】
（浴室用床への適用時の評価試験）
次に、本発明の親水性塗料組成物を塗布する基材として、浴室用の床への塗布を行なった例を示す。
【００９９】
表２に、実施例１６、１７及び比較例９、１０、１１にて作製したものを浴室用床への適用した時として評価試験の結果を示す。評価試験としては、水接触角の測定、防汚性試験及び水はけ試験を行なって評価した。なお、浴室用床での水接触角の測定は、上述の水接触角の測定に対し、凹凸を有したオレフィンシートの凸部に水滴を滴下して測定すること以外は同様に行なった。ここで、水接触角が２０°を下回る場合、凸部に滴下した水滴が、凹部へと流れてしまい定量が困難となるため、当該基材での定量限界を２０°として評価を行なった。また、防汚性試験は上述と同様の試験を行った。
【０１００】
（水はけ性試験）
図３（１）に示すように、製膜した浴室用床の四方をキムタオル（登録商標）で覆い、約２５ｍｌの水道水を浴室用床全体に行き渡るようにかけ流した（図３（２））。水道水をかけ流した後の浴室用床の水はけ性を以下の要領で評価した。
○：かけ流した水が速やかに均一に排水される（図３（１））
△：かけ流した水の一部が床上に残るが、最終的に排水される（図３（２）→（１））
×：かけ流した水の一部が床上に残って排水されない。（図３（３））
【０１０１】
【表２】
2015212324.tif 000014
【０１０２】
表２の通り、実施例１６、１７の浴室用床は、十分な親水性を備え、防汚性、水はけ性も良好であるが、比較例９〜１１の浴室用床は、水接触角が高いことから水はけ性能が十分でなく、防汚性も低かった。特に、凹部にたまった擬似汚れが水では取り除けなかった。
【図１】
2015212324.tif 000018
【図２】
2015212324.tif 000019
【図３】
2015212324.tif 000020